(57)【要約】【課題】  容器本体に触れることなく、蓋の変形を抑制して開蓋できる。【解決手段】  開蓋工具１は、開口を有する容器本体３と、開口に嵌め込む蓋４とを備え、蓋４が開口に面する蓋天面４Ａと、蓋天面４Ａの外周部から延ばされた蓋周縁部４Ｂとを有している。蓋４の上に載置されて両側が蓋周縁部４Ｂに重なり、凸曲面部９ａを有する転がり支持部材９と、転がり支持部材９に交差して固定され、その一端に蓋周縁部４Ｂに係合可能なフック１０を有するとともに、他端側に操作部８ａを有するレバー８を備えている。操作部８ａを押すことにより、転がり支持部材９の凸曲面部９ａが転動することで支点を移動させながら、フック１０によって蓋周縁部４Ｂを開蓋させる。【選択図】      図１
2006240656.tif 000002
【特許請求の範囲】
【請求項１】
開口を有する容器本体と、前記開口に嵌め込む蓋とを備え、該蓋が開口に面する蓋天面と該蓋天面の外周部から延ばされた蓋周縁部とを有する容器の開蓋工具であって、
前記蓋の上に載置されて両側が蓋周縁部に重なる凸曲面部を有する転がり支持部材と、
該転がり支持部材に交差して固定され、その一端に前記蓋周縁部に係合可能な係合部を有するとともに、他端側に操作部を有するレバーと、
を備え、
前記操作部を押すことにより、前記転がり支持部材の前記凸曲面部を前記蓋周縁部を転動させることで、前記凸曲面部と前記蓋とが当接する支点を移動させながら、前記係合部によって前記蓋周縁部を開蓋させるようにした容器の開蓋工具。
【請求項２】
前記レバーに、前記蓋の前記蓋天面を離脱可能に吸着する吸着部材を設けるようにした請求項１に記載の容器の開蓋工具。
【発明の詳細な説明】
【技術分野】
【０００１】
本発明は、容器の開蓋工具に関する。特に、インキなどの各種の液状またはペースト状等の内容物を気密に密閉するインキ缶などの容器の開蓋工具に関する。
【背景技術】
【０００２】
従来、インキは空気に触れて酸化するなどして変質するため、インキ缶は内部から空気を吸引して減圧した状態で、例えば空気の代わりに窒素などの不活性ガスに置換して、蓋をして密閉している。
このような容器として、いわゆる２ピース缶、３ピース缶が知られている。
図９に示したインキ缶１３（容器）は２ピース缶の例であり、絞り加工などで一体に成形された容器本体１４と蓋４との２部品で構成されたものである。また、図１０に示したインキ缶１５（容器）は３ピース缶の例である。すなわち、容器本体１６と蓋４とからなるが、容器本体１６は平板を丸めて端部を溶接した胴部１６ａとその端部を塞ぐ底部１６ｂとから構成されるため、合計３部品で構成されている。容器本体１４、１６の開口部には、胴カール部１４ａ、１６Ａがそれぞれ設けられている。
特許文献１には、そのような３ピース缶の一例である、開口部と蓋との間にシール手段を有するインク用胴板溶接接合缶（以下、接合缶と略称する）が記載されている。
接合缶の開口部には、外側に溶接缶胴上端周縁カール部（図１０（ｂ）の蓋周側部側面４ｂおよび蓋カール部４ｃに相当）が設けられ、天蓋の裏側の外周方向に沿って設けられたシール材（図１０（ｂ）のシーリング材５に相当）が溶接缶胴上端周縁カール部（図１０（ｂ）の胴カール部１６Ａに相当）の上端に当接し、天蓋の外周から延ばされた周縁カール部が溶接缶胴上端周縁カール部を外側から覆っている。そして、周縁カール部を外周方向からかしめることにより周方向にインビード（図１０（ｂ）のカシメ部６に相当）を形成し、その内面側を溶接缶胴上端周縁カール部の側方に当接することにより、シール材を圧縮しつつ天蓋の抜け止めを形成するようになっている。
このような構成では、開蓋する際、カシメ部６が溶接缶胴上端周縁カール部を乗り越えるまで蓋を持ち上げる必要があり、開蓋工具が無い場合には接合缶内部が減圧されている場合には相当の開蓋力を要する。そこで、天蓋の周縁カール部の下方側に、接合缶側面に突出して周方向に延びるアウトビード（図１０（ｂ）のビード部１６ｃに相当）を形成して、アウトビードと天蓋の周縁カール部端部との間を分離させる開蓋工具が利用されていた。
そして、上述した開蓋工具などを使用してインキ缶の蓋の溶接缶胴上端周縁カール部を分離してから、手で開けて、この蓋を所定の場所に移動させている。このとき、蓋に手が触れるため、蓋の裏側にインキが付着していると、手にインクが付いてしまうおそれがあった。このため、手を汚すことなく蓋を開けて、そのまま把持できる開蓋工具がある（例えば、特許文献２、３参照）。
特許文献２は、例えば瓶などの口のように先端がすぼまって狭くなっている開口部に栓をするような蓋を開蓋する開蓋工具である。これによると、この開口部に嵌合する蓋の外周部に、開蓋工具に形成された同形状の切り欠き部を挿嵌させて、そのまま蓋を開蓋工具に挟持させることができる。
また、特許文献３は、缶切り（開蓋工具）の柄の端部に磁石が埋め込まれていて、缶の容器本体から蓋を切り離した後、缶切りの柄を手で持って磁石側を蓋に近づけて吸着することで、蓋に直接触れることなく蓋を容器本体からほかの場所に移すことができる。
【特許文献１】登録実用新案第３０７５４３９号公報
【特許文献２】特開２００１−１７１７９２号公報
【特許文献３】実開平７−１３７９７号公報
【発明の開示】
【発明が解決しようとする課題】
【０００３】
しかしながら、上記のような従来の開蓋工具および開蓋方法によれば、以下のような問題があった。
特許文献１で示されているインキ缶の開蓋作業では、溶接缶胴上端周縁カール部に係合しているカシメ部の一部を分離させるために蓋を持ち上げる際、開蓋工具の使用または不使用にかかわらず相当の開蓋力が必要となる。この場合、蓋と容器本体との間の一部を分離する際に、蓋には部分的に偏った力が作用して、蓋に変形が生じるという問題があった。そして、変形してしまった蓋を再び容器本体に閉める際に、きちんと密閉した状態で閉まらないという問題があった。
また、特許文献２はサンプル瓶などの小型の内蓋に関するものであり、特許文献３は缶切りによって蓋を切断するものであり、いずれの開蓋工具も特許文献１の大径で減圧したインキ缶の繰り返し開蓋する蓋の開蓋工具としては使用できなかった。また、特許文献２および特許文献３では、開蓋工具に蓋を把持させた状態のまま蓋をほかの場所に移すことができるが、開蓋工具から蓋を取り外す際に、手で直接蓋を取り外すことになり、その際に蓋の裏側に付着している例えばインクなどが、手に付いて汚れてしまうという問題がある。
【０００４】
本発明は、このような問題に鑑みてなされたもので、容器本体に触れることなく、蓋の変形を抑制して開蓋できる容器の開蓋工具を提供することを目的とする。
また、本発明の他の目的は、開蓋した蓋を容器本体に触れることなく着脱できる容易な開蓋工具を提供することである。
【課題を解決するための手段】
【０００５】
上記目的を達成するため、本発明に係る容器の開蓋工具では、開口を有する容器本体と、前記開口に嵌め込む蓋とを備え、該蓋が開口に面する蓋天面と該蓋天面の外周部から延ばされた蓋周縁部とを有する容器の開蓋工具であって、蓋の上に載置されて両側が蓋周縁部に重なる凸曲面部を有する転がり支持部材と、転がり支持部材に交差して固定され、その一端に前記蓋周縁部に係合可能な係合部を有するとともに、他端側に操作部を有するレバーとを備え、操作部を押すことにより、転がり支持部材の凸曲面部を前記蓋周縁部を転動させることで、凸曲面部と蓋とが当接する支点を移動させながら、係合部によって蓋周縁部を開蓋させるようにしたものである。
そのため、係合部が蓋周縁部に係止されて、てこの作用点を構成し、転がり支持部材がその両側で蓋周縁部の上側に当接することにより、てこの支点を構成できる。そして、操作部を押して支点を中心にレバーを回動することにより、レバーの一端側に設けられた係合部により蓋周縁部が回動され、てこ作用により開蓋される。このとき、転がり支持部材の凸曲面部が蓋周縁部を転動することで支点が移動するため、支点が固定されている場合と比較して力の受ける位置を分散でき、蓋の変形を抑制することができる。
【発明の効果】
【０００６】
本発明の容器の開蓋工具および開蓋方法によれば、容器本体に触れることなく開蓋できるうえ、安定した姿勢で比較的低荷重で開蓋できる。また、開蓋工具の力が及ぼされる蓋の支点の位置を分散できるため、蓋の変形を抑制することができるという効果を奏する。
【発明を実施するための最良の形態】
【０００７】
また、本発明に係る容器の開蓋工具では、レバーに、蓋の蓋天面を離脱可能に吸着する吸着部材を設けることが好ましい。これにより、開蓋した蓋を直接手で触れることがなくなるため、手を汚すことなく容器本体から蓋を取り外して、ほかの場所に移すことができる。
【実施例】
【０００８】
以下、本発明の実施例による開蓋工具について、図１乃至図５に基づいて説明する。
図１は実施例による開蓋工具で缶の蓋を開ける状態の斜視図、図２は、開蓋工具の斜視図、図３は図１に示す平面図、図４は本発明の実施例による容器の開蓋工程を示す要部側面図であり、（ａ）は開蓋前の図、（ｂ）は開蓋状態の図、図５は本実施例による転がり支持部材の他の形状を示す図である。
【０００９】
本実施例による開蓋工具１は、例えば図１に示すインキ缶２などの容器を開蓋するための工具である。なお、この開蓋工具１を使用できるインキ缶２は、２ピース缶（図９参照）、あるいは内蓋のある３ピース缶（図１０参照）であってもよい。
ここで、図１に示すように、インキ缶２において、容器本体３を覆って密閉する蓋４の形状について説明する。
蓋４は、中央部が容器本体の内周形状（本実施例では円形）に略沿って陥没した平面状とされた蓋天面４Ａと、その外周側で容器本体４の端部を内周側から外周側に隆起させて湾曲されて下方に延ばされた蓋周縁部４Ｂとからなる。
蓋周縁部４Ｂは、さらに上側の湾曲を形成する蓋周縁部上面４ａと、下方に延ばされて胴部を側方から覆う蓋周縁部側面４ｂと、その下端の外周側にカーリングにより設けられた蓋カール部４ｃとからなる。そして、蓋周縁部上面４ａの裏面側に形成された溝には全周にわたり、適宜の弾性を有するシーリング材５（図４参照）が設けられている。
そして、閉蓋される際、蓋周縁部側面４ｂは側方からかしめられているカシメ部６が形成されている。
【００１０】
図２に示すように、開蓋工具１の概略構成は、平面視略十字状に交差して固定された補強部材７及びレバー８と、断面形状略半円の凸曲面部９ａを下方に向けて半円柱形を形成し、上面の長手方向を補強部材７の長手方向下面に固定された転がり支持部材９とからなる。
補強部材７は、図１に示すように、レバー８の蓋周縁部上面４ａからの高さを少し高くして該レバー８を回動したときに該上面に当たりにくくし、これによって開蓋が容易に行えるようにする。
レバー８は、図２に示すように、側面視逆へ字状に屈曲された角棒の一端側にフック１０（係合部）が形成され、例えばボルト（図示省略）により固定されている。また他端側には、手で握りやすい形状の操作部８ａが形成される。補強部材７にフック１０には、図４（ａ）に示すように、転がり支持部材９が蓋４の上側に載置したときに、下方から蓋カール部４ｃに係止させる係止部１０ａが形成されている。
【００１１】
図３に示すように、レバー８が蓋４の略中央を通るようにしたとき、転がり支持部材９の両端部が少なくとも両側の蓋周縁部４Ｂの上面４ａに当接して転動可能となる寸法を有する構成とされている。このとき、転がり支持部材９の凸曲面部９ａにおいて、蓋周縁部上面４ａに重なって当接するてこの支点をなす第１の支点Ｐ１が形成される。そして、レバー８が回動して、転がり支持部材９が矢印Ｅ方向（図４（ａ）参照）に転動したときに、支点が次第に操作部８ａ方向に移動する。
図３に示すように、レバー８は平面視で補強部材７を略垂直２等分するように固定され、補強部材７はレバー８の長手方向においてフック１０側に偏った位置に固定される。これにより、開蓋する際の支点の位置もフック１０側に偏るため、蓋４の周長のうち開蓋される長さが小さくて済むことから、より容易に蓋４を開蓋することができる。
【００１２】
なお、図１及び図２では転がり支持部材９の寸法は、蓋４の上面の全体にわたる長さを有する場合が例示されており、凸曲面部９ａも同じく蓋４の上面の全体にわたって形成されているが、必ずしもこれに限定されることはない。要は、蓋４を開ける場合に、少なくとも蓋周縁部上面４ａと接する部分に凸曲面部９ａが形成されていれば良いのである。これにより転がり支持部材９Ａおよび凸曲面部９ａは、開蓋操作中に、該凸曲面部９ａが常に蓋周縁部４ａに安定して接しているだけの長さとすることもできる。このような転がり支持部材９Ａの例を図５に示す。
【００１３】
このような構成の開蓋工具１を用いてインキ缶２を開蓋する容器の開蓋方法について説明する。
図４（ａ）に示すように、開蓋工具１の係止部１０ａに蓋カール部４ｃを係止し、転がり支持部材９の凸曲面部９ａが蓋周縁部上面４ａと当接して第１の支点Ｐ１を形成するように配置する（図３参照）。
そして、図４（ｂ）に示したように、操作部８ａを持って上方から蓋４に近づける方向に押す。すると、開蓋工具１において、係止部１０ａが作用点となり、転がり支持部材９の凸曲面部９ａに有する支点が第１の支点Ｐ１から第２の支点Ｐ２に移動する。そのとき、係止部１０ａにより蓋カール部４ｃに押圧力が作用し、蓋４が上方側に回動されて湾曲する。その結果、胴カール部３ａとシーリング材５が分離し、蓋４の密封状態が解除され、蓋４が開かれる。
【００１４】
このとき、図３に示すように、第１の支点Ｐ１と蓋中心線Ｏとの距離を距離Ｌ２とし、同じく係止部１０ａと第１の支点Ｐ１との距離を距離Ｌ１とし、蓋カール部４ｃの直径を径Ｄとする。距離Ｌ１は、上記に述べたことから、少なくとも０＜Ｌ１＜（Ｄ／２）とされている。
また、図４（ａ）に示すように、転がり支持部材９の第１の支点Ｐ１から操作部８ａまでの概略長さを長さＬ３とすると、Ｌ１＜Ｌ３の関係にある。本実施例によれば、例えば図４（ｂ）に示したように、フック１０に近い側の第１の支点Ｐ１が支点となるため、てこ比が大きくなり、開蓋に要する押圧荷重を小さくして開蓋することができる。
【００１５】
本実施例の開蓋工具１によれば、転がり支持部材９の凸曲面部９ａが蓋４に当接する支点を第１の支点Ｐ１から第２の支点Ｐ２まで順次移動させて蓋４を開蓋させることができ、支点が固定されている場合と比較して前記押圧荷重を分散できるため、蓋４の変形を抑えることができる。そして、必要ならば開蓋された蓋４を隙間なく再装着することが可能である。しかも、押圧荷重は、蓋天面４Ａには伝達されないので蓋４の変形が少ない開蓋が行えるという利点がある。
また、本実施例の開蓋工具１によれば、操作部８ａを蓋４に向けて上方から押すことにより、蓋４に触れることなく開蓋作業を行うことができる。
また、作用点と力点とを挟んで側方の２箇所に支点が形成されることにより、開蓋工具１を安定姿勢で支持することが可能となっている。したがって、開蓋に不慣れな作業者であって安定して作業することができ、失敗のない作業を行うことができるという利点がある。
【００１６】
次に、実施例の各変形例について、添付図面に基づいて説明するが、上述の実施例と同一又は同様な部材、部分には同一の符号を用いて説明を省略し、実施例と異なる構成について説明する。
図６は、本実施例による第１の変形例を示す開蓋工具の要部側面図である。
本第１の変形例は、図６に示すように、上述した実施例の開蓋工具１のレバー８に、蓋４の蓋天面４Ａを吸着する吸盤１１（吸着部材）が装着されている。この吸盤１１は、一般に知られている吸盤と同様のもので吸着面１１ａと、把持部１１ｂとからなる。ここで、この吸盤１１の取付け位置は、操作部８ａを握った状態で指が吸盤１１の頭部１１ｃに届く範囲であることが好ましい。
レバー８には、その略上下方向に吸盤１１の把持部１１ｂと略同径をなす貫通孔８ｂが形成され、把持部１１ｂを挿通させて、頭部１１ｃがレバー８の上面より突出した状態で備えられている。
そして、この吸盤１１は、図６に示すように、開蓋工具１のレバー８を蓋４側に押した状態のときに指で頭部１１ｃを押すことで吸着面１１ａを蓋天面４Ａに吸着させる。さらに、その状態のまま蓋４を把持することができ、所定位置で指を頭部１１ｃから離すと蓋４が開蓋工具１から外れる。
【００１７】
本第１の変形例では、実施例と同様の効果に加え、上述したように蓋４を吸着できる吸盤１１を備えたことにより、蓋４の開蓋と同時に脱着することができる。そして、その脱着操作はレバー８を握る手元で簡単に行うことができる。これによって、開蓋した蓋４を直接手で触れることがなくなり、手を汚すことなくインキ缶２の容器本体３から蓋４を取り外して、ほかの場所に移すことができる。
【００１８】
次に、実施例の第２の変形例について、図７に基づいて説明する。
図７は、本実施例による第２の変形例を示す開蓋工具の要部側面図である。
図７に示すように、本第２の変形例では、上述した第１の変形例の吸盤１１の代わりに、磁石部材１２が設けられている。この磁石部材１２は、レバー８の略上下方向に貫通され、ゴムまたはプラスチックなどの部材で形成され、一端が閉塞された円筒部材１２Ａを備えている。さらに、該円筒部材１２Ａの内部で長手方向に移動可能に収容され、蓋４の蓋天面４Ａを吸着する磁石１２Ｂ（吸着部材）が設けられている。そして、磁石１２Ｂの上端面には、磁石１２Ｂを円筒部材１２Ａ内で移動させるためのピン１２Ｃが取り付けられている。
このピン１２Ｃには、円筒部材１２Ａの閉塞されている端面を貫通して上方に突出した頭部１２ａが形成され、この頭部１２ａを蓋４側に移動させることで磁石１２Ｂを蓋４に吸着させることができる。さらに、開蓋工具１から蓋４を取り外す場合には、頭部１２ａを持ち上げると、磁石１２Ｂが蓋４から離れて、蓋４が開蓋工具１から離脱する。
なお、蓋４を吸着する手順は、必ずしも開蓋した後であることに限定されず、開蓋する前に蓋４を吸着しておいてもよい。
本第２の変形例では、第１の変形例と同様の作用および効果を奏する。
【００１９】
次に、実施例の第３の変形例について、図８に基づいて説明する。
図８は、本実施例による第３の変形例を示す開蓋工具の斜視図である。
図８に示すように、第３の変形例では、実施例の転がり支持部材９の断面形状が円形をなす円形支持部材２０（転がり支持部材）が、軸部２１の両端部に設けられて転がり支持部材を構成している。そして、この円形支持部材２０は、中心をなす回転軸２０ａが軸部２１の両端に取り付けられている。この円形支持部材２０では、実施例と同様に、蓋周縁部上面４ａに円周面２０ｂ（凸曲面部）が当接されている。
この円形支持部材２０を有した開蓋工具１は、開蓋する際に操作部８ａが蓋４側に押されると、円周面２０ｂが転動して、回転軸２０ａを中心にしてレバー８が回動する。したがって、本第３の変形例では、実施例と同様にレバー８の回動とともに第１の支点Ｐ１が移動することから、支点にかかる押圧力を分散でき、蓋４の変形を抑制することができる。
なお、第３の変形例では円形支持部材２０が蓋周縁部上面４ａと接する部分のみに設けられているが、これに限定されることはなく、例えば、実施例（図１参照）のように蓋４の上面全体にわたって形成され、円柱又は円筒などの形状をなす円形支持部材２０であってもよい。
上述した本第３の変形例では、実施例と同様の作用および効果を奏する。
【００２０】
以上、本発明による開蓋工具および開蓋方法の実施例および第１乃至第３の変形例について説明したが、本発明は上記の実施形態に限定されるものではなく、その趣旨を逸脱しない範囲で適宜変更可能である。
例えば、本実施例では転がり支持部材９、９Ａの断面形状が略半円形状となっているが、凸曲面部９ａの曲率は必ずしもこれに限定されることはなく、例えば楕円形の凸曲面部９ａであってもよい。
【図面の簡単な説明】
【００２１】
【図１】本発明の実施例による開蓋工具で缶の蓋を開ける状態の斜視図である。
【図２】図１に示す開蓋工具の斜視図である。
【図３】図１に示す開蓋工具の平面図である。
【図４】実施例による容器の開蓋工程を示す要部側面図であり、（ａ）は開蓋前の図、（ｂ）は開蓋状態の図である。
【図５】本実施例による転がり支持部材の他の形状を示す図である。
【図６】本実施例による第１の変形例を示す開蓋工具の要部側面図である。
【図７】本実施例による第２の変形例による開蓋工具の要部側面図である。
【図８】本実施例による第３の変形例を示す開蓋工具の斜視図である。
【図９】従来のいわゆる２ピース缶容器を説明するための部分断面図である。
【図１０】従来のいわゆる３ピース缶容器を説明するための部分断面図である。
【符号の説明】
【００２２】
１  開蓋工具
２  インキ缶
３  容器本体
４  蓋
４Ａ  蓋天面
４Ｂ  蓋周縁部
７  補強部材
８  レバー８
９  転がり支持部材
９ａ  凸曲面部
１０  フック（係合部）
１０ａ  係止部
１１  吸盤（吸着部材）
１２Ｂ  磁石（吸着部材）
２０  円形支持部材（転がり支持部材）
Ｐ１  第１の支点  
Ｐ２  第２の支点  
【図１】
2006240656.tif 000003
【図２】
2006240656.tif 000004
【図３】
2006240656.tif 000005
【図４】
2006240656.tif 000006
【図５】
2006240656.tif 000007
【図６】
2006240656.tif 000008
【図７】
2006240656.tif 000009
【図８】
2006240656.tif 000010
【図９】
2006240656.tif 000011
【図１０】
2006240656.tif 000012